【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置において、
前記画像センサからの前記モザイク画像信号の読み出しを制御する制御手段と、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成手段と
を備え、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御手段は、前記読み出しにより得られる前記モザイク画像信号が１行ごとに感度の異なる画像信号となるように、前記画像センサからの前記モザイク画像信号の、全画素読み出しおよび間引き読み出しを制御する
画像処理装置。
【請求項２】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置の画像処理方法において、
前記画像センサからの前記モザイク画像信号の読み出しを制御する制御ステップと、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップと
を含み、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する
画像処理方法。
【請求項３】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムであって、
前記画像センサからの前記モザイク画像信号の読み出しを制御する制御ステップと、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップと
を含み、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する
処理をコンピュータに実行させるためのプログラム。
【請求項４】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムが記録されている記録媒体であって、
前記画像センサからの前記モザイク画像信号の読み出しを制御する制御ステップと、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップと
を含み、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する
処理をコンピュータに実行させるためのプログラムが記録されている記録媒体。
【請求項５】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置において、
前記画像センサからの前記モザイク画像信号の読み出しを制御する制御手段と、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成手段と
を備え、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御手段は、前記画像センサからの前記モザイク画像信号の、１行ごと読み出しまたはスキップによる前記間引き読み出しを制御する
画像処理装置。
【請求項６】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置の画像処理方法において、
前記画像センサからの前記モザイク画像信号の読み出しを制御する制御ステップと、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップと
を含み、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御ステップの処理では、前記画像センサからの前記モザイク画像信号の、１行ごと読み出しまたはスキップによる前記間引き読み出しを制御する
画像処理方法。
【請求項７】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムであって、
前記画像センサからの前記モザイク画像信号の読み出しを制御する制御ステップと、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップと
を含み、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御ステップの処理では、前記画像センサからの前記モザイク画像信号の、１行ごと読み出しまたはスキップによる前記間引き読み出しを制御する
処理をコンピュータに実行させるためのプログラム。
【請求項８】
分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムが記録されている記録媒体であって、
前記画像センサからの前記モザイク画像信号の読み出しを制御する制御ステップと、
前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップと
を含み、
前記画像センサは、
前記第１のフィルタが市松状に配置され、
前記第２のフィルタが斜め方向に連続し、かつ、水平および垂直方向に１画素おきに配置され、
前記第３のフィルタが斜め方向に連続し、かつ、水平および垂直方向に１画素おきに配置された
前記カラーフィルタを有し、
前記制御ステップの処理では、前記画像センサからの前記モザイク画像信号の、１行ごと読み出しまたはスキップによる前記間引き読み出しを制御する
処理をコンピュータに実行させるためのプログラムが記録されている記録媒体。
【手続補正２】
【補正対象書類名】明細書
【補正対象項目名】００１０
【補正方法】変更
【補正の内容】
【００１０】
本発明の第１の側面の第１の画像処理装置は、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置であって、前記画像センサからの前記モザイク画像信号の読み出しを制御する制御手段と、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成手段とを備え、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御手段は、前記読み出しにより得られる前記モザイク画像信号が１行ごとに感度の異なる画像信号となるように、前記画像センサからの前記モザイク画像信号の、全画素読み出しおよび間引き読み出しを制御する画像処理装置である。
【手続補正３】
【補正対象書類名】明細書
【補正対象項目名】００１１
【補正方法】変更
【補正の内容】
【００１１】
本発明の第１の側面の画像処理方法は、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置の画像処理方法であって、前記画像センサからの前記モザイク画像信号の読み出しを制御する制御ステップと、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップとを含み、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する画像処理方法である。
【手続補正４】
【補正対象書類名】明細書
【補正対象項目名】００１２
【補正方法】変更
【補正の内容】
【００１２】
本発明の第１の側面の第１のプログラムは、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムであって、前記画像センサからの前記モザイク画像信号の読み出しを制御する制御ステップと、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップとを含み、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する処理をコンピュータに実行させるためのプログラムである。
【手続補正５】
【補正対象書類名】明細書
【補正対象項目名】００１３
【補正方法】変更
【補正の内容】
【００１３】
本発明の第１の側面の第１の記録媒体は、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムが記録されている記録媒体であって、前記画像センサからの前記モザイク画像信号の読み出しを制御する制御ステップと、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップとを含み、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する処理をコンピュータに実行させるためのプログラムが記録されている記録媒体である。
【手続補正６】
【補正対象書類名】明細書
【補正対象項目名】００１４
【補正方法】変更
【補正の内容】
【００１４】
本発明の第１の側面によれば、前記画像センサからの前記モザイク画像信号の読み出しが御され、前記画像センサによって得られた前記モザイク画像信号から、前記第１乃至第３のフィルタの前記分光感度により決まる３種類の色のそれぞれに対応する強度情報を全画素で揃えるデモザイク処理が行われ、前記３種類の色のそれぞれに対応する単色画像データが生成される。また、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記読み出しにより得られる前記モザイク画像信号が１行ごとに感度の異なる画像信号となるように、前記画像センサからの前記モザイク画像信号の、全画素読み出しおよび間引き読み出しが制御される。
【手続補正７】
【補正対象書類名】明細書
【補正対象項目名】００１５
【補正方法】変更
【補正の内容】
【００１５】
本発明の第２の側面の第２の画像処理装置は、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置であって、前記画像センサからの前記モザイク画像信号の読み出しを制御する制御手段と、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成手段とを備え、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御手段は、前記画像センサからの前記モザイク画像信号の、１行ごと読み出しまたはスキップによる前記間引き読み出しを制御する画像処理装置である。
【手続補正８】
【補正対象書類名】明細書
【補正対象項目名】００１６
【補正方法】変更
【補正の内容】
【００１６】
本発明の第２の側面の第２の画像処理方法は、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する画像処理装置の画像処理方法であって、前記画像センサからの前記モザイク画像信号の読み出しを制御する制御ステップと、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップとを含み、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御ステップの処理では、前記画像センサからの前記モザイク画像信号の、１行ごと読み出しまたはスキップによる前記間引き読み出しを制御する画像処理方法である。
【手続補正９】
【補正対象書類名】明細書
【補正対象項目名】００１７
【補正方法】変更
【補正の内容】
【００１７】
本発明の第２の側面の第２のプログラムは、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムであって、前記画像センサからの前記モザイク画像信号の読み出しを制御する制御ステップと、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップとを含み、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御ステップの処理では、前記画像センサからの前記モザイク画像信号の、１行ごと読み出しまたはスキップによる前記間引き読み出しを制御する処理をコンピュータに実行させるためのプログラムである。
【手続補正１０】
【補正対象書類名】明細書
【補正対象項目名】００１８
【補正方法】変更
【補正の内容】
【００１８】
本発明の第２の側面の第２の記録媒体は、分光感度が異なる第１乃至第３のフィルタが所定の位置に配置されたカラーフィルタを有し、前記第１乃至第３のフィルタのうちのいずれかが画素ごとに用いられている画像センサによって得られたモザイク画像信号から、前記第１乃至第３のフィルタの前記分光感度により決まる３種類の色に対応する前記画素の位置毎の強度情報が全画素で揃うようなカラー画像を生成する処理をコンピュータに実行させるためのプログラムが記録されている記録媒体であって、前記画像センサからの前記モザイク画像信号の読み出しを制御する制御ステップと、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップとを含み、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記制御ステップの処理では、前記画像センサからの前記モザイク画像信号の、１行ごと読み出しまたはスキップによる前記間引き読み出しを制御する処理をコンピュータに実行させるためのプログラムが記録されている記録媒体である。
【手続補正１１】
【補正対象書類名】明細書
【補正対象項目名】００１９
【補正方法】変更
【補正の内容】
【００１９】
本発明の第２の側面によれば、前記画像センサからの前記モザイク画像信号の読み出しが制御され、前記画像センサによって得られた前記モザイク画像信号から、前記第１乃至第３のフィルタの前記分光感度により決まる３種類の色のそれぞれに対応する強度情報を全画素で揃えるデモザイク処理が行われ、前記３種類の色のそれぞれに対応する単色画像データが生成される。また、前記画像センサは、前記第１のフィルタが市松状に配置され、前記第２のフィルタが斜め方向に連続し、かつ、水平および垂直方向に１画素おきに配置され、前記第３のフィルタが斜め方向に連続し、かつ、水平および垂直方向に１画素おきに配置された前記カラーフィルタを有し、前記画像センサからの前記モザイク画像信号の、１行ごと読み出しまたはスキップによる前記間引き読み出しが制御される。
【手続補正１２】
【補正対象書類名】明細書
【補正対象項目名】００２４
【補正方法】変更
【補正の内容】
【００２４】
請求項１に記載の画像処理装置は、分光感度が異なる第１乃至第３のフィルタが所定の位置に配置されたカラーフィルタ（例えば、RGBの３色に対応するカラーフィルタ）を有し、前記第１乃至第３のフィルタのうちのいずれかが画素ごとに用いられている画像センサ（例えば、CCDイメージセンサ２１３）によって得られたモザイク画像信号から、前記第１乃至第３のフィルタの前記分光感度により決まる３種類の色に対応する前記画素の位置毎の強度情報が全画素で揃うようなカラー画像を生成する画像処理装置であって、前記画像センサからの前記モザイク画像信号の読み出しを制御する制御手段（例えば、図３のタイミングジェネレータ２１７）と、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色それぞれに対応する単色画像データを生成する生成手段（例えば、図７のデモザイク処理部２５３、または、図３６のデモザイク処理部３７１）とを備え、画像センサは、前記第１のフィルタ（例えば、Gに対応するフィルタ）が市松状に配置され、前記第２のフィルタ（例えば、RまたはBの一方に対応するフィルタ）が斜め方向に連続し、かつ、水平および垂直方向に１画素おきに配置され、前記第３のフィルタ（例えば、RまたはBの他方に対応するフィルタ）が斜め方向に連続し、かつ、水平および垂直方向に１画素おきに配置された前記カラーフィルタ（例えば、図４のモザイク配列２３１または図３４のモザイク配列３６１に対応するカラーフィルタ）を有し、制御手段は、前記読み出しにより得られる前記モザイク画像信号が１行ごとに感度の異なる画像信号となるように、前記画像センサからの前記モザイク画像信号の、全画素読み出しおよび間引き読み出しを制御する。
【手続補正１３】
【補正対象書類名】明細書
【補正対象項目名】００２５
【補正方法】変更
【補正の内容】
【００２５】
請求項２に記載の画像処理方法は、分光感度が異なる第１乃至第３のフィルタが所定の位置に配置されたカラーフィルタ（例えば、RGBの３色に対応するカラーフィルタ）を有し、前記第１乃至第３のフィルタのうちのいずれかが画素ごとに用いられている画像センサ（例えば、CCDイメージセンサ２１３）によって得られたモザイク画像信号から、前記第１乃至第３のフィルタの前記分光感度により決まる３種類の色に対応する前記画素の位置毎の強度情報が全画素で揃うようなカラー画像を生成する画像処理装置の画像処理方法であって、前記画像センサからの前記モザイク画像信号の読み出しを制御する制御ステップ（例えば、図１６のステップＳ２またはステップＳ６の処理）と、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップ（例えば、図１６のステップＳ３またはステップＳ７の処理）とを含み、前記画像センサは、前記第１のフィルタ（例えば、Gに対応するフィルタ）が市松状に配置され、前記第２のフィルタ（例えば、RまたはBの一方に対応するフィルタ）が斜め方向に連続し、かつ、水平および垂直方向に１画素おきに配置され、前記第３のフィルタ（例えば、RまたはBの他方に対応するフィルタ）が斜め方向に連続し、かつ、水平および垂直方向に１画素おきに配置された前記カラーフィルタ（例えば、図４のモザイク配列２３１または図３４のモザイク配列３６１に対応するカラーフィルタ）を有し、前記制御ステップの処理では、前記読み出しにより得られる前記モザイク画像信号が１行ごとに感度の異なる画像信号となるように、前記画像センサからの前記モザイク画像信号の、全画素読み出しおよび間引き読み出しを制御する。
【手続補正１４】
【補正対象書類名】明細書
【補正対象項目名】００２６
【補正方法】変更
【補正の内容】
【００２６】
また、請求項３及び４に記載のプログラムにおいても、各ステップが対応する実施の形態（但し一例）は、請求項２に記載の情報処理方法と同様である。
【手続補正１５】
【補正対象書類名】明細書
【補正対象項目名】００２７
【補正方法】変更
【補正の内容】
【００２７】
請求項５に記載の画像処理装置は、分光感度が異なる第１乃至第３のフィルタが所定の位置に配置されたカラーフィルタ（例えば、RGBの３色に対応するカラーフィルタ）を有し、前記第１乃至第３のフィルタのうちのいずれかが画素ごとに用いられている画像センサ（例えば、CCDイメージセンサ２１３）によって得られたモザイク画像信号から、前記第１乃至第３のフィルタの前記分光感度により決まる３種類の色に対応する前記画素の位置毎の強度情報が全画素で揃うようなカラー画像を生成する画像処理装置であって、前記画像センサからの前記モザイク画像信号の読み出しを制御する制御手段（例えば、図３のタイミングジェネレータ２１７）と、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成手段（例えば、図７のデモザイク処理部２５３、または、図３６のデモザイク処理部３７１）とを備え、前記画像センサは、前記第１のフィルタ（例えば、Gに対応するカラーフィルタ）が市松状に配置され、前記第２のフィルタ（例えば、RまたはBの一方に対応するフィルタ）が斜め方向に連続し、かつ、水平および垂直方向に１画素おきに配置され、前記第３のフィルタ（例えば、RまたはBの他方に対応するフィルタ）が斜め方向に連続し、かつ、水平および垂直方向に１画素おきに配置された前記カラーフィルタ（例えば、図４のモザイク配列２３１または図３４のモザイク配列３６１に対応するカラーフィルタ）を有し、前記制御手段は、前記画像センサからの前記モザイク画像信号の、１行ごと読み出しまたはスキップによる前記間引き読み出しを制御する。
【手続補正１６】
【補正対象書類名】明細書
【補正対象項目名】００２８
【補正方法】変更
【補正の内容】
【００２８】
請求項６に記載の画像処理方法は、分光感度が異なる第１乃至第３のフィルタが所定の位置に配置されたカラーフィルタ（例えば、RGBの３色に対応するカラーフィルタ）を有し、前記第１乃至第３のフィルタのうちのいずれかが画素ごとに用いられている画像センサ（例えば、CCDイメージセンサ２１３）によって得られたモザイク画像信号から、前記第１乃至第３のフィルタの前記分光感度により決まる３種類の色に対応する前記画素の位置毎の強度情報が全画素で揃うようなカラー画像を生成する画像処理装置の画像処理方法であって、前記画像センサからの前記モザイク画像信号の読み出しを制御する制御ステップ（例えば、図１６のステップＳ２の処理）と、前記画像センサによって得られた前記モザイク画像信号から、前記第１乃至第３のフィルタの前記分光感度により決まる３種類の色のそれぞれに対応する強度情報を全画素で揃えるデモザイク処理を行い、前記３種類の色のそれぞれに対応する単色画像データを生成する生成ステップ（例えば、図１６のステップＳ３の処理）とを含み、前記画像センサは、前記第１のフィルタ（例えば、Gに対応するフィルタ）が市松状に配置され、前記第２のフィルタ（例えば、RまたはBの一方に対応するフィルタ）が斜め方向に連続し、かつ、水平および垂直方向に１画素おきに配置され、前記第３のフィルタ（例えば、RまたはBの他方に対応するフィルタ）が斜め方向に連続し、かつ、水平および垂直方向に１画素おきに配置された前記カラーフィルタ（例えば、図４のモザイク配列２３１または図３４のモザイク配列３６１に対応するカラーフィルタ）を有し、前記制御ステップの処理では、前記画像センサからの前記モザイク画像信号の、１行ごと読み出しまたはスキップによる前記間引き読み出しを制御する。
【手続補正１７】
【補正対象書類名】明細書
【補正対象項目名】００２９
【補正方法】変更
【補正の内容】
【００２９】
また、請求項７及び８に記載のプログラムにおいても、各ステップが対応する実施の形態（但し一例）は、請求項６に記載の情報処理方法と同様である。
【手続補正１８】
【補正対象書類名】明細書
【補正対象項目名】００３０
【補正方法】削除
【補正の内容】